(57)【特許請求の範囲】
【請求項１】
少なくとも、第１内径のロール体及び第１内径よりも大きい第２内径のロール体の端部に嵌め込んで前記ロール体を保持するロール体保持装置であって、
前記ロール体の端部に対向する基部を有する保持部材を備え、
前記保持部材には、軸心方向に移動可能な複数の支持切替部材を有し、
前記支持切替部材は、前記第２内径のロール体を支持可能な支持位置と、前記支持位置から退避して、前記保持部材を前記第１内径のロール体を支持可能な状態にする退避位置との間で移動可能であり、
前記支持切替部材の移動をロックし、前記第１内径のロール体に嵌め込むときに前記ロックを解除するロック手段を有し、
前記ロック手段は、前記支持切替部材をロックする複数のロック部材を有し、
前記ロック部材は、前記第１内径のロール体に嵌め込むときに軸心方向と直交する方向に移動して、前記支持切替部材のロックを解除し、
前記ロック部材は、前記支持切替部材の移動をロックした状態を維持して、ロック位置とロック解除位置との間で移動可能である
ことを特徴とするロール体保持装置。
【請求項２】
前記保持部材は前記ロック部材を案内するガイド部を有し、
前記ロック部材を軸心方向及び軸心方向と直交する方向に付勢する弾性部材を備え、
前記ロック部材は前記ガイド部に接触しながら移動する
ことを特徴とする請求項１に記載のロール体保持装置。
【請求項３】
前記ロック部材は、前記支持切替部材の引掛け部が接触する接触面を有し、
前記接触面は、前記支持切替部材の引掛け部が鉤型に接触するように傾斜している
ことを特徴とする請求項１又は２に記載のロール体保持装置。
【請求項４】
前記ロック部材が前記保持部材のガイド部に接触して軸心方向に移動する移動量は、前記支持切替部材と前記ロック部材の接触面との掛り量の軸心方向成分よりも大きい
ことを特徴とする請求項３に記載のロール体保持装置。
【請求項５】
前記ロック部材がロック位置からロック解除位置へ移動する経路と、前記ロック部材がロック解除位置からロック位置へ移動する経路が異なる
ことを特徴とする請求項１ないし４のいずれかに記載のロール体保持装置。
【請求項６】
請求項１ないし５のいずれかに記載のロール体保持装置を備えている
ことを特徴とする印刷装置。
【発明の詳細な説明】
【技術分野】
【０００１】
本発明はロール体保持装置、印刷装置に関する。
【背景技術】
【０００２】
印刷装置（画像形成装置）として、印刷媒体をロール状にしたロール体（ロール状印刷媒体）を使用するものでは、異なる紙管（ロール体中空軸部の内径）に対応するため、ロール体保持装置（保持機構）を使用する。
【０００３】
例えば、ロール体保持装置の保持部材の軸芯部に別体のアダプタを取り付け、軸芯部の内径を変えるものがある（特許文献１）。
【０００４】
また、保持部材の軸芯部がロール紙の内周面を支持するリブをカムにより半径方向に変位させるものがある（特許文献２）。
【先行技術文献】
【特許文献】
【０００５】
【特許文献１】特第３９２８７０５号公報
【特許文献２】特開２０１２−０６６９３２号公報
【発明の概要】
【発明が解決しようとする課題】
【０００６】
しかしながら、上述した特許文献１に開示の構成にあっては、保持部材の軸芯部に設けるアダプタが別体として構成されているため、取り扱いが煩雑になるという課題がある。
【０００７】
また、特許文献２に開示の構成にあっては、１回の操作で軸心部の切替が可能であるものの構成が煩雑であるとい課題がある。
【０００８】
本発明は上記の課題に鑑みてなされたものであり、内径の異なるロール体に簡単に対応して保持できるようにすることを目的とする。
【課題を解決するための手段】
【０００９】
上記の課題を解決するため、本発明に係るロール体保持装置は、
少なくとも、第１内径のロール体及び第１内径よりも大きい第２内径のロール体の端部に嵌め込んで前記ロール体を保持するロール体保持装置であって、
前記ロール体の端部に対向する基部を有する保持部材を備え、
前記保持部材には、軸心方向に移動可能な複数の支持切替部材を有し、
前記支持切替部材は、前記第２内径のロール体を支持可能な支持位置と、前記支持位置から退避して、前記保持部材を前記第１内径のロール体を支持可能な状態にする退避位置との間で移動可能であり、
前記支持切替部材の移動をロックし、前記第１内径のロール体に嵌め込むときに前記ロックを解除するロック手段を有し、
前記ロック手段は、前記支持切替部材をロックする複数のロック部材を有し、
前記ロック部材は、前記第１内径のロール体に嵌め込むときに軸心方向と直交する方向に移動して、前記支持切替部材のロックを解除し、
前記ロック部材は、前記支持切替部材の移動をロックした状態を維持して、ロック位置とロック解除位置との間で移動可能である
構成とした。
【００１０】
本発明によれば、内径の異なるロール体に簡単に対応して保持できる。
【図面の簡単な説明】
【００１１】
【図１】本発明に係るロール体保持装置を備える本発明に係る印刷装置の一例の外観斜視説明図である。
【図２】同装置の側面模式的説明図である。
【図３】同装置の画像形成部の要部平面説明図である。
【図４】ロール体保持装置でロール体を保持した状態の斜視説明図である。
【図５】第２内径のロール体を保持する状態の斜視説明図である。
【図６】第１内径のロール体を保持する状態の斜視説明図である。
【図７】ロック機構のロック部材の斜視説明図である。
【図８】同ロック機構の正面説明図である。
【図９】同ロック機構のボス部部分の斜視説明図である。
【図１０】同ロック機構の係り止め部位置の正断面説明図である。
【図１１】同ロック機構の係り止め部の側面説明図である。
【図１２】ロール体軸心方向から見たロック解除状態の説明図である。
【図１３】同じくロック状態の説明図である。
【図１４】図１３のＳ部の拡大説明図である。
【図１５】本発明の実施形態に係るロール体保持装置おける保持部材の斜視説明図である。
【図１６】同じく支持切替部材をロックした状態の断面説明図である。
【図１７】同保持部材のガイド部の斜視説明図である。
【図１８】同じくロックガイドの構成の説明に供する説明図である。
【図１９】同じくロック部材がロック状態からロック解除状態へ移動する経路の説明に供する説明図である。
【図２０】同じくロック部材がロック解除状態からロック状態へ移動する経路の説明に供する説明図である。
【図２１】同じくロック部材と弾性部材の配置を説明する説明図である。
【図２２】同じく保持部材が有するガイド部の形状の一例の説明に供する斜視説明図である。
【図２３】同ロール体保持装置の実施形態の具体的な説明に供する図７の面Ｓ１による断面に相当する断面説明図である。
【図２４】同じく第１内径のロール体を保持する状態の斜視説明図である。
【図２５】同じく保持部材の軸心筒状部の断面説明図である。
【図２６】同じく保持部材のロック部材をロック位置にした状態での筒状軸心部を含む断面説明図である。
【図２７】同じく軸心方向に沿う断面説明図である。
【発明を実施するための形態】
【００１２】
以下、本発明の実施の形態について添付図面を参照して説明する。まず、本発明に係るロール保持装置を備える本発明に係る印刷装置の一例について図１ないし図３を参照して説明する。図１は同装置の外観斜視説明図、図２は同じく側面模式的説明図、図３は同じく印刷部の要部平面説明図である。 
【００１３】
この装置は、シリアル型装置であり、装置本体１０１と、装置本体１０１の下側に配置した給紙装置１０２とを備えている。なお、給紙装置１０２は装置本体１０１と別体で装置本体１０１の下側に配置されてもよいし、図２のように装置本体１０１と一体に構成してもよい。
【００１４】
装置本体１０１の内部には、給紙装置１０２から給紙されるロール状媒体であるロール紙１２０に画像を形成する印刷部１０３が配置されている。
【００１５】
印刷部１０３は、両側板にガイド部材であるガイドロッド１及びガイドステー２が掛け渡され、これらのガイドロッド１及びガイドステー２にキャリッジ５が矢印Ａ方向（主走査方向、キャリッジ移動方向）に移動可能に保持されている。
【００１６】
そして、主走査方向の一方側にはキャリッジ５を往復移動させる駆動源である主走査モータ８が配置されている。この主走査モータ８によって回転駆動される駆動プーリ９と主走査方向他方側に配置された従動プーリ１０との間にタイミングベルト１１が掛け回されている。このタイミングベルト１１にキャリッジ５の図示しないベルト保持部が固定され、主走査モータ８を駆動することによってキャリッジ５を主走査方向に往復移動させる。
【００１７】
キャリッジ５には、複数（ここでは、４個）の液体吐出ヘッド６ａ〜６ｄ（区別しないときは「ヘッド６」という。）が搭載されている。ヘッド６にはヘッド６に液体を供給するヘッドタンクを一体にしている。
【００１８】
ここで、ヘッド６ａとヘッド６ｂ〜６ｄは主走査方向と直交する方向である副走査方向に１ヘッド分（１ノズル列分）位置をずらして配置されている。また、ヘッド６は、液体を吐出する複数のノズルからなるノズル列を主走査方向と直交する副走査方向に配列し、吐出方向を下方に向けて搭載している。
【００１９】
また、ヘッド６ａ〜６ｄはいずれも２列のノズル列を有している。そして、ヘッド６ａ、６ｂは、いずれのノズル列からも同色である黒色の液体を吐出する。ヘッド６ｃは、一方のノズル列からシアン（Ｃ）の液体を吐出し、他方のノズル列は未使用ノズル列としている。また、ヘッド６ｄは、一方のノズル列からイエロー（Ｙ）の液体を、他方のノズル列からマゼンタ（Ｍ）の液体を吐出する。
【００２０】
これにより、モノクロ画像についてはヘッド６ａ、６ｂを使用して１スキャン（主走査）で２ヘッド分の幅で画像を印刷でき、カラー画像については例えばヘッド６ｂ〜６ｄを使用して印刷することができる。なお、ヘッド構成はこれに限るものではなく、複数のヘッドを主走査方向に全て並べて配置するものでもよい。
【００２１】
ヘッド６のヘッドタンクには、装置本体１０１に交換可能に装着されるメインタンクである液体カートリッジ６０から供給チューブを介して各色の液体が供給される。
【００２２】
また、キャリッジ５の移動方向に沿ってエンコーダシート４０が配置され、キャリッジ５にはエンコーダシート４０を読取るエンコーダセンサ４１が設けられている。これらのエンコーダシート４０及びエンコーダセンサ４１によってリニアエンコーダ４２を構成し、リニアエンコーダ４２の出力からキャリッジ５の位置及び速度を検出する。
【００２３】
一方、キャリッジ５の主走査領域のうち、印刷領域では、給紙装置１０２からロール紙１２０が給送され、搬送手段２１によってキャリッジ５の主走査方向と直交する方向（副走査方向、用紙搬送方向：矢印Ｂ方向）に間欠的に搬送される。
【００２４】
搬送手段２１は、給紙装置１０２から給紙されるロール状媒体であるロール紙１２０を搬送する搬送ローラ２３及び搬送ローラ２３に対向配置した加圧ローラ２４を有している。そして、搬送ローラ２３の下流側に、複数の吸引穴が形成された搬送ガイド部材２５と、搬送ガイド部材２５の吸引穴から吸引を行う吸引手段としての吸引ファン２６とを有している。
【００２５】
この搬送手段２１の下流側には、図２に示すように、ヘッド６で画像が形成されたロール紙１２０を所定の長さで切断する切断手段としてのカッタ２７が配置されている。
【００２６】
さらに、キャリッジ５の主走査方向の一方側には搬送ガイド部材２５の側方にヘッド６の維持回復を行う維持回復機構８０が配置されている。
【００２７】
給紙装置１０２は、ロール体１１２を有している。ロール体１１２は、芯部材である紙管などの中空軸部１１４に長尺のロール状媒体であるシート（これを上述したように「ロール紙」という。）１２０をロール状に巻き付けたものである。
【００２８】
ここで、本実施形態では、ロール体１１２として、ロール紙１２０の終端を中空軸部１１４に糊付けなどの接着で固定したもの、ロール紙１２０の終端を中空軸部１１４に糊付けなどで接着していない非固定のもののいずれも装着可能である。
【００２９】
ロール体１１２は、後述する本発明に係るロール体保持装置によって端部が保持されて図示しないスプール軸（後述するスプール２００）にて支持されている。
【００３０】
そして、装置本体１０１側には、給紙装置１０２のロール体１１２から引き出されるガイドするガイド部材１３０と、ロール紙１２０を湾曲させて上方に給送する搬送ローラ対１３１とが配置されている。
【００３１】
搬送ローラ対１３１を回転駆動することで、ロール体１１２から繰り出されるロール紙１２０は、搬送ローラ対１３１とロール体１１２間で張られた状態で搬送される。そして、ロール紙１２０は、搬送ローラ対１３１を経て、搬送手段２１の搬送ローラ２３と加圧ローラ２４との間に送り込まれる。
【００３２】
そこで、キャリッジ５を主走査方向に移動し、給紙装置１０２から給送されるロール紙１２０を、搬送手段２１によって間欠的に送る。そして、ヘッド６を画像情報（印刷情報）に応じて駆動して液体を吐出させることによって、ロール紙１２０上に所要の画像を印刷する。印刷後のロール紙１２０は、カッタ２７で所定の長さにカットされ、装置本体１０１の前面側に配置される排紙ガイド部材に案内されてバケット内に排出されて収納される。
【００３３】
次に、ロール体保持装置の一例について図４ないし図６を参照して説明する。図４はロール体保持装置でロール体を保持した状態の斜視説明図、図５は同じく同保持装置の保持部材で第２内径のロール体を保持する状態の斜視説明図、図６は同じく同保持部材で第１内径のロール体を保持する状態の斜視説明図である。
【００３４】
ロール体保持装置は、ロール体１１２の端部に嵌め込まれる保持部材４０１を有する。
【００３５】
保持部材４０１には、図４に示すように、スプール２００に固定する側と、スプール２００の軸線方向側に可動の側の２種類がある。固定側の保持部材４０１は、スプール２００に固定されているが、可動側の保持部材４０１は、ロール体１１２のサイズに合わせてスプール２００の軸線方向に移動可能である。
【００３６】
保持部材４０１は、図５及び図６に示すように、ロール体１１２の端部に対向するフランジ部に相当する基部４０２と、同じくロール体１１２の中空軸部１１４内に挿入される中空のボス部である軸心筒状部４０３とを有する。軸心筒状部４０３内にスプール２００が通される。
【００３７】
保持部材４０１には、軸心方向に移動可能な複数（ここでは３個）の支持切替部材４１２を有している。
【００３８】
支持切替部材４１２は、第２内径のロール体１１２を支持可能な支持位置（図５の位置）と、支持位置から退避して、保持部材４０１を第１内径のロール体１１２を支持可能な状態にする退避位置（図６の位置）との間で移動可能である。
【００３９】
保持部材４０１の基部４０２には、支持切替部材４１２を退避位置で収納する収納部４０４を有している。また、基部４０２は、支持切替部材４１２の回転角度を規制するガイドレール４０５を備えている。
【００４０】
支持切替部材４１２は、リンク４１３を中心に回転し、軸線方向にスライドし、スラスト方向に短くなる向きで保持部材４０１の基部４０２の収納部４０４内に収納される。
【００４１】
軸心筒状部４０３は、内部にスプール２００を挿入する中空部を有し、第１内径のロール体１１２の中空軸部１１４の内周面に当たって接触して、中空軸部１１４を案内するガイドリブ４１１を備えている。
【００４２】
また、軸心筒状部４０３は、支持切替部材４１２のスライド位置を規制するガイドレール４１４と、ロック部材４４１の移動方向を規制するガイドレール４４２を備えている。
【００４３】
支持切替部材４１２は、ボス部がガイドレール４０５に取り付けられ、支持切替部材４１２の軸部に回転可能に支持されたリンク４１３を介してガイドレール４１４に取り付けられている。リンク４１３はロール体１１２に保持部材４０１を嵌め込むとき（挿入時ともいう。）のスラスト方向の荷重を分散させるためのテーパ部４１３ａを備えている。
【００４４】
ここでは、図５に示すように、軸心筒状部４０３上に支持切替部材４１２が配置される支持位置にすることで、第２内径のロール体（例えば３インチ紙管のサイズ）を支持切替部材４１２で支持する状態になる。
【００４５】
また、図６に示すように、軸心筒状部４０３上から支持切替部材４１２を退避させて収納部４０４内に収納した退避位置にすることで、第１内径のロール体（例えば２インチ紙管のサイズ）を軸心筒状部４０３周りで支持する状態になる。
【００４６】
ロック手段であるロック機構４４０を構成するロック部材４４１は、ガイドレール４４２に沿って移動して、第２内径のロール体１１２から第１内径のロール体１１２への支持サイズ変更を行う支持切替部材４１２の移動を引掛けて止めている。
【００４７】
このロール体保持装置においては、第１内径のロール体である２インチのロール体１１２に嵌め込むときには、ロール体１１２の中空軸部１１４の軸方向端面がリンク４１３のテーパ部４１３ａに接触する。このとき、ロック部材４４１は支持切替部材４１２のロックを解除する状態になる。
【００４８】
これにより、リンク４１３が軸線方向にスライドし、支持切替部材４１２が回転しながらガイドレール４０５に沿ってスライド移動して、基部２０２の収納部４０４に収納される。したがって、第１内径のロール体１１２は軸心筒状部４０３のガイドリブ４１１によって支持（保持）される。
【００４９】
一方、第２内径のロール体である３インチのロール体１１２に嵌め込むときには、ロック部材４４１が支持切替部材４１２をロックした状態にあるので、支持切替部材４１２は支持位置に保持される。
【００５０】
これにより、第２内径のロール体１１２の中空軸部１１４内に支持切替部材４１２が入り込み、第２内径のロール体１１２は支持切替部材４１２で保持される。
【００５１】
なお、保持部材４０１の軸心筒状部４０３と基部４０２は一体構成、別体構成のいずれでもよい。
【００５２】
次に、ロック手段であるロック機構の一例について図７ないし図１４も参照して説明する。図７はロック機構のロック部材の斜視説明図、図８は同ロック機構の正面説明図、図９は同ロック機構のボス部部分の斜視説明図である。図１０は同ロック機構の係り止め部位置の正断面説明図、図１１は同ロック機構の係り止め部の側面説明図、図１２はロール体軸心方向から見たロック解除状態の説明図、図１３は同じくロック状態の説明図、図１４は図１３のＳ部の拡大説明図である。
【００５３】
ロック機構４４０は、ロック部材４４１を有している。保持部材４０１の軸心筒状部４０３にはロック部材４４１の動きを軸心の半径方向に規制するガイドレール４４２が取付けられている。
【００５４】
ロック部材４４１は、ボス部４５１がガイドレール４４２に沿って半径方向（図７の矢印ｍ方向）に移動可能である。また、ボス部４５１の形状は、円形、Ｄ型、小判型など、図８及び図９に示すように、ロック部材４４１が保持部材４０１の軸心方向を中心として図８で矢印方向に回転可能な形状としている。また、ロック部材４４１は、水平移動をさせるため、ボス部４５１を２箇所に有している。
【００５５】
これにより、ロック部材４４１は、保持部材４０１の軸線方向（軸心方向）を中心に回転可能に保持される。
【００５６】
ロック部材４４１と保持部材４０１の軸心筒状部４０３との間に弾性部材４５３が取り付けられ、ロック部材４４１は軸心から離れる方向に勢いを付けられている。
【００５７】
ロック部材４４１には係り止め部４５４を有し、支持切替部材４１２には係り止め部４５４に係り止められる係り止め突起４５５が設けられている。
【００５８】
支持切替部材４１２が第２内径のロール体１１２を支持する支持位置にあるとき、ロック部材４４１は係り止め部４５４が係り止め突起４５５を係り止める位置にあるので、支持切替部材４１２の軸心方向への移動が妨げられる。
【００５９】
そして、第１内径のロール体１１２に嵌め込まれるとき、ロック部材４４１が軸心に近づく方向に押し込まれ、係り止め部４５４が係り止め突起４５５を係り止める位置から外れるので、支持切替部材４１２のロックが解除される。
【００６０】
ここで、１つの支持切替部材４１２には、図１０に示すように、２か所以上の係り止め突起４５５を備えている。支持切替部材４１２の１つの突起４５５に対して、ロック部材４４１側に１つの係り止め部４５４を有している。これにより、２か所以上のロックを解除しないと、支持切替部材４１２が移動できない構成になっている。
【００６１】
また、ロック部材４４１のスラスト位置は、図１１に示すように、保持部材４０１の基部４０２の面で受けて決めている。
【００６２】
このように構成したので、ロック解除時には、図１２に示すように、ロック部材４４１が軸心に近づく位置になり、支持切替部材４１２の突起４５５とロック部材４４１の係り止め部４５４との間に隙間４５０ができることで、支持切替部材４１２が移動可能となる。
【００６３】
一方、ロック時には、図１３及び図１４に示すように、ロック部材４４１が軸心から離れる位置になり、支持切替部材４１２の突起４５５とロック部材４４１の係り止め部４５４とが重なり接触することで、支持切替部材４１２の動きがロックされる。
【００６４】
次に、本発明の実施形態に係るロール体保持装置について図１５ないし図１７を参照して説明する。図１５は同保持装置の保持部材の斜視説明図、図１６は同保持装置の支持切替部材がロックされた状態の断面説明図、図１７は同保持部材のガイド部の斜視説明図である。
【００６５】
保持部材４０１の基部４０２には、ロック部材４４１を軸心方向に案内するガイド部５０１を有している。ガイド部５０１は、斜面形状を有し、斜面形状は軸心側で図１６の奥方向に傾く形状、すなわち、ロック部材４４１が矢印Ｄ方向に移動する方向に傾斜している。
【００６６】
支持切替部材４１２には、退避位置へ移動する途中でロック部材４４１の接触面であるロック受け面５０３に接触する引掛け部５０４を有している。
【００６７】
ロック受け面５０３は支持切替部材４１２の引掛け部５０４の回転軌跡に合わせて、支持切替部材４１２の引掛け部５０４が鉤型に接触するように傾斜するテーパをつけた形状としている。これにより、ロック部材４４１がロック解除方向に動かないような負荷のかけ方にしている。
【００６８】
ロック部材４４１と保持部材４０１間には弾性部材５０５が取り付けられている。弾性部材５０５は、ロック部材４４１側の取付け位置と保持部材４０１側の取付け位置の中心をずらして取付けられている。
【００６９】
これにより、ロック部材４４１は、軸心方向に沿ってガイド部５０１に向かう方向（矢印Ｄ方向）に付勢されるとともに、軸心方向と直交する方向で軸心と反対側に向かう方向（矢印Ｃ方向）に付勢される。
【００７０】
この弾性部材５０５による付勢力によって、ロック部材４４１は、保持部材４０１のガイド部５０１に接触し、ガイド部５０１に斜面形状に倣って移動することでできる。
【００７１】
ロック受け面５０３は、支持切替部材４１２が引掛るように鉤型に傾く斜面となっていて、ロックする力を増加させている。
【００７２】
また、ロック部材４４１が保持部材４０１のガイド部５０１に接触して軸心方向に移動する移動量は、支持切替部材４１２の引掛け部５０４とロック部材４４１のロック受け面（接触面）５０３との掛り量の軸心方向成分よりも大きくしている。
【００７３】
そして、支持切替部材４１２の移動途中によるロック受け面５０３の傾斜角度（斜面角度）と、保持部材４０１のガイド部５０１の傾斜角度は、ガイド部５０１の傾斜角度（斜面角度）の方を大きくしている。
【００７４】
これにより、ロック状態を維持したまま、ロック部材４４１が軸心方向に移動することでロックが解除され、ロック解除状態からロック状態に移行できる。
【００７５】
つまり、図１４で示すように、複数のロック部材４４１により支持切替部材４１２がロックされているので、ロック部材４４１のロック受け面５０３の斜面角度と保持部材５０１のガイド部５０１の斜面角度の関係で、ひとつのロック部材４４１で、支持切替部材４１２の移動をロックした状態を維持して、他方のロック部材４４１はロック位置とロック解除位置との間で移動可能である構成としている。
【００７６】
これにより、図１６に示すように、支持切替部材４１２の引掛け部５０４がロック部材４４１のロック受け面５０３に接触した状態で、ひとつのロック部材４４１をロック解除位置（図１６の矢印Ｃ方向と反対方向）に移動させ、ロック解除位置からロック位置に往復移動させても、ロック部材４４１には弾性部材５０５によって矢印Ｄ方向に付勢されているので、保持部材４０１のガイド部５０１の斜面に接触したまま斜面に沿って移動することができる。したがって、支持切替部材４１２の引掛け部５０４とのテーパ形状（斜面形状）を沿うように移動できるようになる。
【００７７】
言い換えれば、支持切替部材４１２をロックした状態で、ロック部材４４１をロック位置からロック解除位置に移動し、ロック解除位置からロック位置に移動させても、テーパ（傾斜角度）の大きいガイド部５０１の斜面形状に沿ってロック部材４４１が移動するため、保持部材４０１のガイド部５０１の斜面形状と支持切替部材４１２の引掛け爪の隙間を広くでき、ロック位置への移動ができるようになる。
【００７８】
次に、ロック部材の移動に関わる構成について図１８ないし図２２を参照して説明する。図１８はロックガイドの構成の説明に供する説明図、図１９はロック部材がロック状態からロック解除状態へ移動する経路の説明に供する説明図、図２０はロック部材がロック解除状態からロック状態へ移動する経路の説明に供する説明図である。図２１はロック部材と弾性部材の配置を説明する説明図である。
【００７９】
ロック部材４４１は、ボス部４５１が図１８の位置にあるロック位置と図２０の実線図示のロック解除位置との間で往復移動可能である。
【００８０】
このロック部材４４１のロック位置からロック解除位置への移動（これを「往路移動」という。）と、ロック部材４４１のロック解除位置からロック位置への移動（これを「復路移動」という。）を案内するロックガイド部材５１０を備えている。
【００８１】
ロックガイド部材５１０は、ロック部材４４１の往路移動と復路移動の移動経路を切り替える経路切替部材５１１を備えている。
【００８２】
経路切替部材５１１は、ロックガイド部材５１０に対して矢印Ｅ方向及び矢印Ｆ方向に移動可能に保持され、弾性部材５１２によって矢印Ｅ方向に付勢されている。そして、この経路切替部材５１１の移動を案内する切替部材ガイド部５１３を備えている。
【００８３】
切替部材ガイド部５１３は、ロック部材４４１が図１８のロック位置から図２０のロック解除位置に向かって図１９の矢印Ｇ方向に移動するとき、ロック部材４４１のボス部４５１が経路切替部材５１１のテーパ部５１１ａに接触する。そして、ボス部４５１の矢印Ｇ方向への移動に伴って経路切替部材５１１は切替部材ガイド部５１３に案内されて矢印Ｆ方向に移動する。
【００８４】
これにより、図２０に示すように、ロック部材４４１はボス部４５１が破線図示の位置にあるロック位置から実線図示の位置になるロック解除位置に移動する。そして、ボス部４５１がロック解除位置まで移動すると、経路切替部材５１１は弾性部材５１２によって矢印Ｅ方向に移動されて元の位置に戻される。
【００８５】
ロック部材４４１のボス部４５１は、前述した弾性部材５０５による矢印Ｃ方向への付勢力によって経路切替部材５１１の円弧面５１１ｂに沿って矢印Ｇ方向に移動する。ボス部４５１がロックガイド部材５１０の上面まで移動すると、ロック部材４４１に取り付けられた前述した弾性部材５０５によって矢印Ｅ方向に移動してロック位置まで移動する。
【００８６】
このように、ロック部材４４１がロック位置からロック解除位置へ移動する往路移動の経路と、ロック部材４４１がロック解除位置からロック位置へ移動する復路移動の経路とは異なっている。
【００８７】
ここで、弾性部材５０５は、図２１に示すように、ロック部材４４１側の取付けボス５２１と筒状軸心部４０３側の取付けボス５２２にそれぞれ両端部を取り付けて配置されている。ロック部材４４１側の取付けボス５２１と筒状軸心部４０３側の取付けボス５２２とは、周方向における位置もずらして配置されていることで、ロック部材４４１は弾性部材５０５によって矢印Ｃ方向に付勢されるとともに、周方向で矢印Ｅ方向にも付勢される。
【００８８】
次に、保持部材が有するガイド部の形状の一例について図２２を参照して説明する。図２２は同説明に供する斜視説明図である。
【００８９】
保持部材４０１のガイド部５０１は、前述したように、ロック部材４４１の軸心方向への移動を案内する。
【００９０】
ロック部材４４１が仮想線図示のロック位置から破線図示のロック解除位置に移動するときには、矢印Ｊで示すように平面部５０１ａを通って移動する。ロック部材４４１がロック解除位置からロック位置に移動するときは、矢印Ｋで示すように斜面５０１ｂに沿って平面部５０１ｃに移動し、更に矢印Ｍで示すように斜面５０１ｄを移動して、ロック位置に戻る。
【００９１】
ロック部材４４１が平面部５０１ｃの凹部まで移動することで、支持切替部材４１２と保持部材４０１との距離が開くため、ロック部材４４１がロック位置に復帰可能となる。
【００９２】
次に、上記本発明に係るロール体保持装置の実施形態の具体的な例について図２３ないし図２７を参照して説明する。図２３は図７の面Ｓ１による断面に相当する断面説明図、図２４は第１内径のロール体を保持する状態の斜視説明図である。図２５は保持部材の軸心筒状部の断面説明図、図２６は保持部材のロック部材をロック位置にした状態での筒状軸心部を含む断面説明図、図２７は軸心方向に沿う断面説明図である。
【００９３】
ここで、ロック部材４４１側には弾性部材５０５を保持する取付けボス５２１が周方向において複数設けられ、筒状軸心部４０３側には取付けボス５２２が周方向において複数設けられている。
【００９４】
取付けボス５２１と取付けボス５２２とは、図２３に示すように、周方向にずれ量Δａだけずれて配置されている。また、図２７に示すように、取付けボス５２１と取付けボス５２２とは、ずれ量Δｂだけずれて配置されている。
【００９５】
そこで、ロック部材４４１を筒状軸心部４０３に取付けることで、ロック部材４４１は、図２７に示すように、弾性部材５０５によって矢印Ｃ方向に付勢されるとともに、図２６に示すように、周方向で矢印Ｅ方向にも付勢される。
【００９６】
なお、上記実施形態では、印刷装置が液体吐出ヘッドを備える例で説明しているが、これに限るものではなく、電子写真方式等の印刷装置のロール体保持装置にも適用することができる。
【符号の説明】
【００９７】
５  キャリッジ
６  ヘッド（液体吐出ヘッド）
１０１  装置本体
１０２  給紙装置
１１２  ロール体
１１４  中空軸部
４０１  保持部材
４０２  基部（フランジ部）
４０３  軸心筒状部
４１２  支持切替部材
４４０  ロック手段
４４１  ロック部材
５０１  ガイド部
５０３  ロック受け面
５０５  弾性部材
５１０  ロックガイド部材
５１１  経路切替部材
【図１】
0006705188.tif 000002
【図２】
0006705188.tif 000003
【図３】
0006705188.tif 000004
【図４】
0006705188.tif 000005
【図５】
0006705188.tif 000006
【図６】
0006705188.tif 000007
【図７】
0006705188.tif 000008
【図８】
0006705188.tif 000009
【図９】
0006705188.tif 000010
【図１０】
0006705188.tif 000011
【図１１】
0006705188.tif 000012
【図１２】
0006705188.tif 000013
【図１３】
0006705188.tif 000014
【図１４】
0006705188.tif 000015
【図１５】
0006705188.tif 000016
【図１６】
0006705188.tif 000017
【図１７】
0006705188.tif 000018
【図１８】
0006705188.tif 000019
【図１９】
0006705188.tif 000020
【図２０】
0006705188.tif 000021
【図２１】
0006705188.tif 000022
【図２２】
0006705188.tif 000023
【図２３】
0006705188.tif 000024
【図２４】
0006705188.tif 000025
【図２５】
0006705188.tif 000026
【図２６】
0006705188.tif 000027
【図２７】
0006705188.tif 000028